(57)【特許請求の範囲】
【請求項１】
遊技盤面に植設される２本の障害釘の間に渡る棒状の主体部を有し、該主体部には前記障害釘に対応する部所に障害釘の軸部を受け入れ係合する係合凹部を備え、該係合凹部を前記障害釘の先端部近くの軸部に係脱自由に嵌め付け係合させて前記２本の障害釘の間に架設装着すると共に、該主体部と前記遊技盤の前面との間にパチンコ球の通過が可能な空間を形成し、前記遊技盤面に沿って落下する打球の障害物を形成することを特徴とした遊技盤の打球障害物。
【請求項２】
請求項１に記載する遊技盤の打球障害物において、前記主体部は棒状にして前記障害釘に対応する一面に係合凹部を形成することを特徴とした遊技盤の打球障害物。
【請求項３】
請求項２に記載する遊技盤の打球障害物において、棒状をなす前記主体部は障害釘に架設装着したとき上面となる一面を遊技盤面に向けて下り勾配となる傾斜面にすることを特徴とした遊技盤の打球障害物。
【請求項４】
請求項２又は３に記載する遊技盤の打球障害物において、棒状をなす前記主体部は障害釘に架設装着したとき上面となる一面を長さ方向に沿って凹弧状若しくは凸弧状に形成することを特徴とした遊技盤の打球障害物。
【請求項５】
請求項２又は３又は４に記載する遊技盤の打球障害物において、棒状をなす前記主体部は障害釘に架設装着したとき上面となる一面を凹凸を連続させる波形に形成することを特徴とした遊技盤の打球障害物。
【発明の詳細な説明】
【０００１】
【発明の属する技術分野】
本発明はパチンコ機の遊技盤面に植設される障害釘の間に渡して遊技盤面に沿って落下する打球の障害となるようにした障害釘に関する。
【０００２】
【従来の技術】
遊技部に打込まれた打球を入賞口に誘導したり、或いは入賞を阻止するために遊技盤には多数の障害釘が植設され、また打球の落下が単調になるのを防止するため風車等の障害物が適宜設置される。これらの障害物は設計に基づき予め定位置に植設され、或いは固定されるもので、固定後にこれらを任意に移動させたり、外したりすることはできないものとなっている。
ことに障害釘は遊技盤に組付ける風車等のその他の障害物の取付位置や、入賞口の取付位置と密接な関係が保たれており、設計の段階で植設位置が確定することから勝手に位置を変更したりすることができない。
【０００３】
この様なことから、打球に対する従来の障害釘等は設計通りの定位置に植設されて略一定の落下方向に打球を誘導するものとなる結果単調になる欠点がある。この単調さを解消するものとして従来障害釘の間に渡して打球の進路を妨害し、進路方向の変更を促す遊技球用障害物が実開平２ー２５２８３号公報によって提案されている。
【０００４】
この既提案に係る障害物は、１つに障害釘そのものに代わる機能をもたせたものとなっている。つまり、多数本の障害釘を列設する代わりに列の両端の２本の釘のみを植設してこの２本の障害釘の間に渡すことで、実質的に中間の釘の打付けを省略するものである。もう１つの機能は１本の障害釘に回転自由に軸承させて落下する打球を受けたとき回転したり、或いは揺動させて衝突した打球に対して進路方向を変更させるものである。
【０００５】
この障害物は説明されるように障害釘に装着された状態において釘と釘の間を塞ぐものであり、打球の通過ができないものとなっており、通過ができるものは１本の障害釘を支軸にして回転するもの、或いは揺動するものになっており、打球の力で障害物を押しのけたときのみ釘と釘の間を通り抜けることができるようになっている。
従って、この意味で障害の機能を発揮することができるものとなっているが、この既提案に係る障害物、中でも２本の障害釘の間に渡され装着されるものは、装着された状態において釘と釘の間を完全に塞いでしまい球の通過が不能となることから単なる障害釘の置き替えに過ぎないものであり、特段の変化を期待することができないものとなっている。
【０００６】
【発明が解決しようとする課題】
本発明はこのような状況に鑑み既設の障害釘を利用しながら障害釘からは得られない変化を打球に与えて遊技者の趣向を満足させるようにした障害物を提供しようとするもので、特に本発明は打球の衝突を受けてこれを弾発し、不特定方向に進路を変更させる一方、特定位置に衝突したものについては特定方向に反発させ、例えば入賞口の近傍に設置した場合にはこの特定方向への反発を利用して入賞し易くする等の利用ができる遊技盤の打球障害物を提供することにある。
【０００７】
また本発明は、障害釘間を通る打球に対して衝突させることで弾発し、方向の変更を促す一方、衝突することなく或いは衝突してそのまゝ障害釘の間を抜ける場合を作り、打球に更なる変化を与えられるようにした遊技盤の打球障害物を提供することにある。
【０００８】
【課題を解決するための手段】
本発明は上記目的を達成するため、遊技盤面に植設される少なくとも２本の障害釘の間に渡る長さの主体部を形成し、この主体部の前記２本の障害釘に対応する部所に障害釘の軸部を係合する係合凹部を形成し、該係合凹部を前記障害釘の軸部に係脱自由に嵌め付け係合させて障害釘間にブリッジ状に架設装着し、落下する打球の障害となるようにした遊技盤の打球障害物を提供することにある。
【０００９】
また本発明は、落下する打球に対して特定の方向に弾発するよう方向性を付与した打球障害物を提供しようとするもので、更に詳述するならば前記棒状をなす主体部は障害釘に架設装着したとき上面となる一面を遊技盤面に向けて下り勾配となる傾斜面にすることを特徴とした遊技盤の打球障害物を提供することにある。
【００１０】
また本発明は、落下し衝突する打球に対して更に変化のある反発をさせるため前記棒状をなす主体部は障害釘に架設装着したとき上面となる一面を長さ方向に沿って凹弧状若しくは凸弧状に形成することを特徴とした遊技盤の打球障害物を提供することにある。
【００１１】
また本発明は、前記棒状をなす主体部は障害釘に架設装着したとき上面となる一面を凹凸を連続させる波形に形成することを特徴とした遊技盤の打球障害物を提供することにある。
【００１２】
また、本発明は前記主体部は並行する２本の棒体、この棒体の間に渡る障害棒とからなることを特徴とした遊技盤の打球障害物を提供することにある。
【００１３】
また本発明は、前記主体部の並行する２本の棒体の間に渡る障害棒は複数本にすると共に、該障害棒相互の間に打球の通過を許す空間が設けられることを特徴とした遊技盤の打球障害物を提供することにある。
【００１４】
【発明の実施の形態】
次に、上述した本発明を図面に示す実施例について詳述し、併せてその他の特徴について説明することにする。
【実施例１】
図面において、図１は本発明に係る打球障害物を遊技盤面に植設する障害釘間に装着し使用する使用状態を説明する斜視図であり、図２は図１の使用状態における打球障害物の中央部において断面とした要部の拡大中央縦断右側面図であり、図３は打球障害物の部分の斜視図、図４は障害釘に装着した状態を示す部分の拡大背面図である。
図における符号１は本発明に係る打球障害物の主体部である。２はこの主体部１を装着する遊技盤３に植設した障害釘、４は飛入球を受け入れ入賞口５に誘導する飛入球の誘導装置である。
【００１５】
飛入球Ｐ、即ち入賞球Ｐを誘導する前記誘導装置４（広くは入賞装置に相当する。）は遊技盤３の前面に付設するレール（図示せず）に囲まれる遊技部の略中央部に設置されるものであり、ここでは装置全体を劇場の舞台に模して前面を開放した筐形に形成してある。そして、舞台（ステージ）に相当する中央部は上面を波形に形成する３つの段６ａ，６ｂ，６ｃを階段状に並べて形成し、その左右に舞台の袖に相当する導入床部７，７を形成している。
【００１６】
上記装置４の最前部の段６ｃは舞台の前縁であると同時に、遊技盤３の前面に揃うようにしてある。そして、飛入した球Ｐがこの段６ｃの中央部に位置する凹部８（図面ではパチンコ球Ｐが入っている）に各段を転がり落ちて到達したとき、その下方に位置する前記入賞口５に転入するように設定してある。
【００１７】
この誘導装置４は遊技盤３に開設する取付孔９に前面側から嵌め入れ、開口部４ａの周縁に形成する鍔形の取付片１０を遊技盤３の前面に当接させ、固着される。そして、この装置の開口部４ａの内部、即ち舞台の部分には開口部４ａの下縁に沿って植設する障害釘２に衝突することによって弾かれた球Ｐが飛入できるようになっている。
【００１８】
ところで図面には主要な部分に植設される障害釘２についてのみ表しているが、発射装置から打ち出された打球が遊技盤上で様々な方向に弾かれ、振り分けられるためその他多数の障害釘が植設されることになる。ただここではこれらの障害釘のうち誘導装置４の側方に植設される図示しない障害釘に誘導されて結果的に前記開口部の下縁に沿って植設した障害釘２，……に衝突したものが、この釘の反発を受けて装置内に飛入することになる。
【００１９】
飛入する球Ｐの多くは開口部の下縁に沿って植設される釘列の左右の端に位置する障害釘に衝突したものである。この釘に衝突し弾かれた打球は舞台の袖に相当する導入床部７，７に飛入し、次にこの床部の傾斜に沿って先ず舞台の最後部の段６ａに転がり移動し、その後各段の上面の前下がり勾配に誘導されてその前の段へと落下移動する。
【００２０】
この間、球Ｐは各段６ａ〜６ｃのいずれかの凹部に入り込み、嵌まったあと凹部８の底部の前下がり勾配によって次の段に落下し、ここで再びいずれかの凹部に嵌るようにしながら順次落下移動し、最終的に前記最前部の段６ｃの中央の凹部８に達したとき、この球Ｐはこの凹部から前記入賞口５へと転出誘導され入賞球となる。
【００２１】
前記本発明に係る打球障害物の主体部１は誘導装置４の開口部の下縁に沿って植設される障害釘２に装着することにより、前記入賞口５の上方を横切るように架設される。
図２は、この架設状態を拡大して示したものである。また図３、図４は上記主体部１の障害釘に対する装着手段を拡大して示したものである。
【００２２】
この実施例における主体部１は複数本の障害釘を跨ぐ長さの棒状に形成してあり、端部に近い下面に障害釘２，２の軸部２ａを受け入れこれを挟み付ける湾形をなす係合凹部１１が形成してある。そして、この係合凹部１１は開口部分の両縁を外に向けて八の字形に切除し、釘の軸部２ａの受け入れを容易にしてあり、装着時にはこの係合凹部１１を軸部２ａに臨ませ、そのまま押付けることで嵌め付けができるようにしてある。
尚、主体部１は上記装着作業のためと同時に衝突する打球を弾き返すため反発力のある合成樹脂、或いは金属材を素材として成形することが望ましい。
【００２３】
上記構成に係る主体部１はここでは障害釘２に対して図示するように頭部２ａに接して架設し、この主体部１と遊技盤３の前面との間にパチンコ球Ｐが通過できる空間１２を確保するようにしてあり、主体部１に衝突しなかった球、或いは衝突しながら弾かれなかった球が、障害釘の間を通してそのまゝ落下することができるようにしてある。尚、図中の符号１３は遊技盤３の前面を被うガラスである。
【００２４】
本発明は上記の如く構成から、遊技盤面に打ち込まれた打球は、従来と同様に盤面に植設される障害釘２に衝突することによって様々な方向に弾かれる一方、誘導装置４の側方に沿って落下した球が開口部の下縁に沿って並ぶ障害釘に衝突したとき、これに弾かれて開口部内に飛び込み、前記した様に舞台の段の上を転がり、再び開口部へと戻り、あるものは凹部８に達してここから入賞口５へと転入し、またあるものはそのまま遊技盤面に戻ることになる。
【００２５】
その一方、前記開口部の下縁の中央部近くにまで弾かれた球は直接障害釘に衝突するものがある外、本実施例では障害釘２，２の間に渡された障害物の主体部１に衝突することにもなり更に異なる方向へと弾かれることになる。
とりわけ主体部１は、前述の様に釘の先端近くに装着されていることから、図２に示したように衝突時には球Ｐの前面側の半球部分（弧面）が衝突することになる結果、遊技盤方向に弾き返されることが多くなり、開口部４ａ内に飛入する機会が多くなる。
【００２６】
勿論、主体部１に向かって弾かれた打球は常に遊技盤側に弾かれるものとはならないが、当りそこなったときはそのまゝ障害釘の間を通して空間１２を抜けて下に向かって落下することになる。従って、結果的にこの障害釘の間で様々な振り分けが行われることになり打球の進路が変えられることになる。
【００２７】
尚、この実施例における主体部１は長尺な矩形断面形の棒状にし、且つ複数本の障害釘２を跨ぐ長さにしたが、この長さは打球を受けたとき撓みが大きくなり弾性が高まるため打球を大きく弾き返すのに有効なものになっている。
また、障害釘への装着に当たって主体部１の下面に係合凹部１１を形成したが、この係合凹部を主体部１の両端部に形成して２本の障害釘に各端部を付き当てるようにして渡し装着するようにしてもよい。勿論、この場合一方を下面側に、他方を端部に形成し、それぞれの係合凹部を障害釘の軸部に嵌め付けるようにしてもよいことは言うまでもない。
【００２８】
ところで、係合凹部１１は主体部１を障害釘２に掛け止めるために設けられるものであることから湾形に形成されるものに限られるものではなく、自由に選択することができるが、装着時の作業性，安定性の上から湾形若しくはＵ字形の凹部が適している。
ことにこれらの凹部は障害釘２の軸部２ａに対してやゝ小径な空部を備える凹部が適当であって障害釘に装着したとき、その軸部２ａを挟み付けガタ付きなく嵌まり付くものが好ましい。
【００２９】
前述したように主体部１を障害釘に装着する際、上述のように狭い凹部の場合には単に押し付けるだけで挟み付けた状態で装着することができるので簡単であり、しかも安定した装着状態が得られることになる。特にこの場合、主体部１と障害釘２とが一体化するため打球の衝突の際共同して反発することになり、高い弾発力を発揮し、落下する打球に対して様々な変化を与えることができることになる。
【００３０】
尚、この装着に当たって主体部１に形成する係合凹部１１を障害釘２の頭部２ｂに適合する湾型に形成して主体部を頭部２ｂに嵌め付け装着するようにすると、釘の軸方向に移動することなく一定位置に、しかも安定的に取り付けることができ、また主体部１と遊技盤面との間に形成される空間１２も正確に確保されることになり、都合がよい。
【００３１】
【実施例２】
次に、図５は前記主体部１の上面１４，１５を後方、つまり遊技盤面に向けて下り勾配となるよう傾斜面に形成した第２の実施例を示したものである。
この実施例のうち図（Ａ）は傾斜面１４を平滑面として主体部１の断面形を略直角三角形状にした例であり、図（Ｂ）は主体部の上面１５を凸弧面形にした例である。
いずれの例も落下する打球を受けたとき、この傾斜によって後方に弾き、遊技盤に設ける入賞口５や、前記実施例で説明した誘導装置４等に対して飛び込み易くしたもので、各傾斜面は主体部１の全長に亘り形成するが、選択的には部分的に、また間隔をおいて断続的に形成してもよい。
【００３２】
【実施例３】
図６は本発明の第３の実施例を示したものである。この実施例は長尺な棒状をなす主体部１の上面１６を凹弧面状に湾曲させた例である。主体部１は上面に打球を受けたとき、その湾曲面によって反発方向を変えるもので、真直な第１の実施例のものに比較して更に変化のある弾発を生むことができる。
尚、同一の考えの下に、この上面１６を凸弧面状、つまり弓なりに隆起する如く形成してもよい。
【００３３】
【実施例４】
また、図７は主体部１の上面１７を波形に凹凸を連続させた第４の実施例を示したものである。この実施例は上面を波形にすることによって凹部と凸部における反発方向の違いから更に変化に富んだ弾発が得られるようにした例である。
【００３４】
【実施例５】
また、図８は主体部１を長尺な２本の並行する棒体１８，１８と、この棒体の間に間隔を置いて渡される障害棒１９によって梯子状に形成した例である。
この実施例は２本の棒体１８，１８の各端部近くの下面に係合凹部１１，１１を設け、この係合凹部を介して２本の障害釘２，２の間に渡し装着する構造にしてあり、２本の棒体１８，１８相互と、障害棒１９，１９相互はそれぞれパチンコ球Ｐを通す間隔を置いて並行させ、これにより矩形の空間２０を形成し、この空間２０の間をパチンコ球Ｐが通過できるようにしてある。
【００３５】
この主体部１は２本の棒体１８，１８に形成する係合凹部１１，１１を障害釘２の基部と先端部の２ヶ所に嵌め付けて装着し、２本の障害釘の間に渡るように使用される。
上記構成から明らかな様にこの主体部１は打球を２本の棒体と障害棒に受けることができ、それぞれにおいて衝突する球を弾き返す一方、空間２０を通して通過させることもできることから打球に対して様々な変化を与えることができる。
勿論、この主体部１は２本の障害釘２，２に渡すことにより、その間に植設する障害釘を障害棒１９，１９に代えることができるので、この間の障害釘を省略することができる。
【００３６】
以上説明の様に、本発明は遊技盤面に予め植設される障害釘２、２間に主体部１を渡して装着することによってこの障害釘間を落下誘導される打球Ｐに対して更なる変化を与えられるもので、既製の遊技盤に対し簡単に設計の変更を与えることができる利点がある。
勿論、説明するまでもないが、上記主体部１は水平位置にある２本の釘間に渡す外、傾斜位置にある釘間に渡してもよい。
また更に前記実施例では入賞口５の直上に装着する場合につき説明したが、入賞口に直接関係しない部所に装着してもよく、例えば前記誘導装置４の開口部２ａの前方に渡るように装着し、釘の植設できない部分で打球を弾くようにしてもよい。
【００３７】
【発明の効果】
以上本発明を各実施例に基づく様々な形態につき説明したが、本発明の障害物は遊技盤面に植設する２本の釘の間に渡す状態で装着されることから、釘の間を抜ける打球に対して衝突したり、或いは接触したりして関係し、これを弾き返し、或いは落下速度を落としたりして様々な変化を与えることができる。また、本障害物に衝突する球に対しては障害釘からは得られない反発を生み方向に変化を付けることができ、また障害釘と共同することによって強い反発力を発揮し、更に異なる変化を与えることができる。
【００３８】
また特に本発明障害物は、上述の効果に加えて障害釘の先端部間に装着されることによって打球を受けたときこれを遊技盤方向に弾くことから入賞口の近傍に装着したとき従来にない飛入状態が出現することになり、遊技者を楽しませることができる。
【００３９】
勿論、本発明障害物は障害釘に対し係合凹部を押付け嵌め付けるだけで装着できることから取扱いが容易であり、また、簡単に外すこともできるので便利である。しかも、極めて構造が簡単であるため製造が容易であり実用性に優れる利点がある。
【図面の簡単な説明】
【図１】遊技盤面に植設する障害釘に装着し使用する状態を説明した斜視図。
【図２】使用状態における要部の拡大中央縦断右側面図。
【図３】打球障害物の部分の拡大斜視図。
【図４】障害釘に装着した状態を説明する部分の拡大斜視図。
【図５】（Ａ）及び（Ｂ）は共に他の実施例における打球障害物の部分の拡大斜視図。
【図６】打球障害物の他の実施例における正面図。
【図７】打球障害物の他の実施例における正面図。
【図８】打球障害物の他の実施例における斜視図。
【符号の説明】
１          障害物の主体部
２          障害釘
２ａ        障害釘の軸部
２ｂ        障害釘の頭部
３          遊技盤
５          入賞口
１１        係合凹部
１４，１５，１６，１７    主体部の上面
１８        棒体
１９        障害棒
２０        空間
【図１】
0004537604.tif 000002
【図２】
0004537604.tif 000003
【図３】
0004537604.tif 000004
【図４】
0004537604.tif 000005
【図５】
0004537604.tif 000006
【図６】
0004537604.tif 000007
【図７】
0004537604.tif 000008
【図８】
0004537604.tif 000009